(57)【要約】【課題】鏡筒構成部材に設けられる直進溝や回転止め突起などの形成位置の自由度を高める。【解決手段】光軸方向にガイドされる被ガイド部（１１ｂ）と、この被ガイド部上に形成されたカムピン部（１１ａ）とを有する第１の鏡筒構成部材（１１）と、被ガイド部を光軸方向にガイドする直進溝部（３ｃ）が周壁部上に形成されるとともに、フランジ部（３ｅ）が周壁部の光軸方向端部に形成された第２の鏡筒構成部材（３）と、カムピン部に係合して第１の鏡筒構成部材を光軸方向に駆動するためのカム部を有する第３の鏡筒構成部材（２）と、第２の鏡筒構成部材の外側に配置され、第３の鏡筒構成部材を回転駆動する駆動機構（４，８）とを有し、フランジ部の内周側に、ガイド部を直進溝部に組み込む際にカムピン部を通す内径切欠部（３ｌ）が形成されており、第２の鏡筒構成部材において、直進溝部と内径切欠部とが周方向にて異なる位置に形成され、周壁部に内径切欠部にカムピン部を通して被ガイド部を直進溝部に組み込むための組み込み溝部（３ｉ、３ｈ）が形成されていることを特徴とするレンズ鏡筒。【選択図】  図１
2004258302.tif 000002
【特許請求の範囲】
【請求項１】
光軸方向にガイドされる被ガイド部と、この被ガイド部上に形成されたカムピン部とを有する第１の鏡筒構成部材と、
前記被ガイド部を光軸方向にガイドする直進溝部が周壁部上に形成されるとともに、フランジ部が前記周壁部の光軸方向端部に形成された第２の鏡筒構成部材と、
前記カムピン部に係合して前記第１の鏡筒構成部材を光軸方向に駆動するためのカム部を有する第３の鏡筒構成部材と、
前記第２の鏡筒構成部材の外側に配置され、前記第３の鏡筒構成部材を回転駆動する駆動機構とを有し、
前記フランジ部の内周側に、前記ガイド部を前記直進溝部に組み込む際に前記カムピン部を通す内径切欠部が形成されており、
前記第２の鏡筒構成部材において、前記直進溝部と前記内径切欠部とが周方向にて異なる位置に形成され、前記周壁部に前記内径切欠部に前記カムピン部を通して前記被ガイド部を前記直進溝部に組み込むための組み込み溝部が形成されていることを特徴とするレンズ鏡筒。
【発明の詳細な説明】
【０００１】
【産業上の利用分野】
本発明は銀塩（アナログ）カメラやデジタルスチルカメラに搭載されるレンズ鏡筒に関する。
【０００２】
【従来の技術】
従来から使用されているカメラのレンズ鏡筒を図６に示す。同図において、１０１は直進筒であり、この直進筒１０１は不図示の差動筒の内側に配置されている。この差動筒が光軸周りに回転しながら繰り出すと、差動筒の動きに連動して、直進筒１０１が光軸周りに回転することなく光軸方向に繰り出す。
【０００３】
直進筒１０１には、光軸方向に沿って延びるガイド溝部１０１ｄが略等間隔に３つ設けられている。ガイド溝部１０１ｄには、直進筒１０１の内側に組み込まれるレンズ保持部材に設けられたカムピン（不図示）が係合する。
【０００４】
直進筒１０１の後端部には、直進筒１０１の周方向に沿って延びるフランジ部１０１ａが設けられている。
【０００５】
フランジ部１０１ａのうちガイド溝部１０１ｄと同位相の位置には、カムピンを通すための内径切欠部１０１ｃが設けられている。レンズ保持部材を直進筒１０１に組み込むときは、カムピンを直進筒１０１の後ろ側から内径切欠部１０１ｃを通るようにしてガイド溝部１０１ｄに導けばよい。
【０００６】
また、フランジ部１０１ａには、内径切欠部１０１ｃと同位相の位置に凸部１０１ｂが設けられている。この凸部１０１ｂは、固定筒に形成された直進溝部（いずれも不図示）と係合することにより、直進筒１０１が光軸周りに回転するのを防止している。
【０００７】
【特許文献１】
特開平０７−０４３５８４
【０００８】
【発明が解決しようとする課題】
上述のように、従来例では、内径切欠部１０１ｃと凸部１０１ｂとを同位相の位置に配置している。これは、フランジ部１０１ａのうち内径切欠部１０１ｃが形成された箇所は、フランジ部の高さ方向の長さが短くなっているため、強度が弱くなっているからである。
【０００９】
即ち、内径切欠部１０１と同位相の位置に凸部１０１ｂを配置して、フランジ部１０１ａの強度が損なわれないようにしているのである。
【００１０】
しかしながら、内径切欠部１０１ｃと同位相の位置に凸部１０１ｂを配置しなければならないとすると、設計の自由度が損なわれる。
【００１１】
つまり、凸部１０１ｂは、固定筒に形成された直進溝部に係合するように、配置する必要がある。
【００１２】
このため、内径切欠部１０１ｃ、ガイド溝部１０１ｄ、凸部１０１ｂ及び固定筒の直進溝部は、同位相の位置に配置しなければならないため、設計の自由度を損なうおそれがある。
【００１３】
【課題を解決するための手段】
上記課題を解決するために、本願発明のレンズ鏡筒は、光軸方向にガイドされる被ガイド部と、この被ガイド部上に形成されたカムピン部とを有する第１の鏡筒構成部材と、被ガイド部を光軸方向にガイドする直進溝部が周壁部上に形成されるとともに、フランジ部が周壁部の光軸方向端部に形成された第２の鏡筒構成部材と、カムピン部に係合して第１の鏡筒構成部材を光軸方向に駆動するためのカム部を有する第３の鏡筒構成部材と、第２の鏡筒構成部材の外側に配置され、第３の鏡筒構成部材を回転駆動する駆動機構とを有し、フランジ部の内周側に、ガイド部を直進溝部に組み込む際にカムピン部を通す内径切欠部が形成されており、第２の鏡筒構成部材において、直進溝部と内径切欠部とが周方向にて異なる位置に形成され、周壁部に内径切欠部にカムピン部を通して被ガイド部を直進溝部に組み込むための組み込み溝部が形成されていることを特徴とする。
【００１４】
【発明の実施の形態】
図１から図５を用いて本発明の実施形態について説明する。ここで、図１は本実施形態のレンズ鏡筒を構成する直進筒の斜視図、図２はレンズ鏡筒の分解斜視図である。
【００１５】
また、図３は１群鏡筒及び２群鏡筒が搭載された直進筒の斜視図、図４は１群鏡筒が移動する様子を示した図、図５は本実施形態のレンズ鏡筒を備えたカメラの外観図を示す。
【００１６】
図５において、６０はカメラ本体であり、このカメラ本体６０の前面中央にはズーミングが可能なレンズ鏡筒６１が設けられている。
【００１７】
また、カメラ本体６０の前面における向かって右側には被写体に照明光を照射するストロボ装置を構成する発光窓部６２が設けられ、発光窓部６２の左側にはファインダ窓６４および測光窓６３がそれぞれ設けられている。
【００１８】
さらに、カメラ本体６０の上面には、撮影準備動作（焦点調節動作および測光動作）及び撮影動作（フィルムやＣＣＤ等の撮像素子への露光）を開始させるためのレリーズボタン６５が設けられている。
【００１９】
次に、図２を用いてレンズ鏡筒全体の構成について説明する。１は固定筒であり、この固定筒１の内周面には、カム溝部１ａと光軸方向に沿って延びる直進溝部１ｂとが形成されている。
【００２０】
カム溝部１ａは、カム筒２（第３の鏡筒構成部材）の外周面に設けられたカムピン２ａと係合し、直進溝部１ｂは、後述するフランジ部３ｅに形成された凸部３ａと係合する。
【００２１】
カム筒２の外周面後端には、カム筒２の周方向に延びるギア２ｂが設けられている。このギア２ｂは、固定筒１に形成された穴部１ｃを介して、駆動ギア４とギア結合している。
【００２２】
６から１０は減速ギアであり、モータ５の駆動力を増大させている。モータ５の駆動力は、ピニオンギア（ウォームギア）６→第二ギア７→第三ギア８→第四ギア９→第五ギア１０→駆動ギア４の順で伝達される。
【００２３】
３は直進筒（第２の鏡筒構成部材）であり、この直進筒３の外周面先端には、抜け止め突起３ｂ（図１参照）が設けられており、カム筒２と相対回転可能な状態で一体となっている。
【００２４】
直進筒３の外周面後端には、直進筒３の周方向に延びるフランジ部３ｅが形成されている。
【００２５】
フランジ部３ｅの高さ方向の長さ（図１で示すＢの長さ）は、従来例のフランジ部より長くなっている。このため、直進筒３の外周面近傍に配置される上述のギア（第３ギア８、駆動ギア４）とフランジ部３との重複が問題となる。
【００２６】
本実施形態では、フランジ部３ｅに、第３ギア８との重複を避ける外径切欠部３ｊと駆動ギア４との重複を避ける外径切欠部３ｋとを設けることにより、この問題を解決している（図１参照）。
【００２７】
フランジ部３ｅの内周側には、１群鏡筒１１に設けられたカムピン１１ａを通すための内径切欠部３ｌが設けられている。この内径切欠部３ｌは、外径切欠部３ｊと外径切欠部３ｋとの間に形成されている。
【００２８】
ここで、内径切欠部３ｌを外径切欠部３ｊ又は外径切欠部３ｋと同位相の位置に配置することも考えられる。
【００２９】
しかし、同位相の位置に形成すると、内径切欠部３ｌが形成された箇所のＢの長さが短くなってしまい、フランジ部３ｅの強度が弱くなる。
【００３０】
そこで、本実施形態では、内径切欠部３ｌの周方向の位置が、外径切欠部３ｊと外径切欠部３ｋとの間になるようにしているのである。
【００３１】
外径切欠部３ｊ及び外径切欠部３ｋが形成されていない箇所は、フランジ部３ｅのＢの長さが短くなっていないため、内径切欠部３ｌを設けたとしても、フランジ部３ｅの強度を必要以上に損なったりしない。
【００３２】
フランジ部３ｅには、上述のように固定筒１の直進溝部１ｂと係合する凸部３ａが３つ設けられている。
【００３３】
ここで、上述のように、フランジ部３ｅにおけるＢの長さは、従来例よりも長くなっている。したがって、フランジ部３ｅの強度を確保するという観点から、凸部３ａを内径切欠部３ｆ、３ｌ（３ｆは後述）が形成された位置と同位相の位置に設ける必要がない。
【００３４】
その結果、従来例よりも、凸部３ａのフランジ部３ｅに対する取り付け位置の自由度が高まる。
【００３５】
図３において、１１は１群鏡筒（第１の鏡筒構成部材）で、１２は２群鏡筒であり、これらの鏡筒は、直進筒３の内側に収容される。１群鏡筒１１及び２群鏡筒１２の内部には、不図示の撮影レンズなどが搭載されている。
【００３６】
２群鏡筒１２のカムピン１２ａは、図１に示す直進筒３の２群用直進溝部３ｃとキー結合し、カム筒２の内周面に形成された２群用カム溝部２ｃとカム結合している。  カム筒２が光軸周りに回転すると、２群用カム溝部２ｃの軌跡に沿って２群鏡筒１２が移動する。
【００３７】
２群用直進溝部３ｃの後端部には、フランジ部３ｅの内周側の一部を切り欠いて形成した内径切欠部３ｆが設けられている。
【００３８】
２群鏡筒１２を直進筒３に組み込むときは、２群カムピン１２ａを直進筒３の後方から内径切欠部３ｆをくぐりぬけるようにして２群用直進溝部３ｃに導けばよい（図３参照）。
【００３９】
図１に示すように、直進筒３には、１群鏡筒１１に設けられたカムピン支持部材１１ｂが係合する１群用溝部３ｄが形成されている。図３に示すように、カムピン支持部材１１ｂ上には、１群用カム溝部２ｄに係合する１群カムピン１１ａが形成されている。
【００４０】
この１群用溝部３ｄは、内径切欠部３ｌに接続された第１の案内溝部３ｉ（組み込み溝部）、この第１の案内溝部３ｉに接続された第２の案内溝部３ｈ（組み込み溝部）及びこの第２の案内溝部３ｈに接続された１群用直進溝部３ｇにより構成されている。
【００４１】
第１の案内溝部３ｉ及び１群用直進溝部３ｇは、光軸方向に延びるように形成されており、第２の案内溝部３ｈは、直進筒３の周方向に延びるように形成されている。
【００４２】
本実施形態では、１群用直進溝部３ｇを延長した位置に外径切欠部３ｊが形成されている。
【００４３】
１群用直進溝部３ｇは、１群鏡筒１１が１群用カム溝部２ｄの軌跡に沿って移動する時に、カムピン支持部材１１ｂと係合して、１群鏡筒１１が光軸周りに回転するのを防止する。
【００４４】
１群鏡筒１１は直進筒３の後方から直進筒３の内側に組み込まれる。具体的には内径切欠部３ｌ→第１の案内溝部３ｉ→第２の案内溝部３ｈ→１群用直進溝部３ｇの順にカムピン支持部材１１ｂを移動させることで組み込みが完了する（図３参照）。
【００４５】
組み込み後の１群鏡筒１１が、１群用直進溝部３ｇに沿って移動する様子を図４に示す。ここで、図４ａは沈胴状態、図４ｂはワイド状態、図４ｃはテレ状態をそれぞれ示している。
【００４６】
同図に示すように、２群鏡筒１２のカムピン１２ａは直進筒３の２群用直進溝部３ｃのほぼ全領域を摺動しなが移動している。
【００４７】
これに対して、１群鏡筒１１のカムピン支持部材１１ｂは、１群用溝部３ｄのうち１群用直進溝部３ｇのみを使用し、第１案内溝部３ｉ及び第２案内溝部３ｈを使用していない。
【００４８】
これは、第１案内溝部３ｉ及び第２案内溝部３ｈは、カムピン支持部材１１ｂを１群用直進溝部３ｇに導くためにのみ設けられたものだからである。
【００４９】
したがって、第１案内溝部３ｉ及び第２案内溝部３ｈは、内径切欠部３ｌと１群用直進溝部３ｇとの接続が可能であればどのような方向に形成してもよい。
【００５０】
即ち、本実施形態では、第２案内溝部３ｈを直進筒３の周方向に形成したが、内径切欠部３ｌと１群用直進溝部３ｇとの接続が可能あればどのような方向に形成してもよい。
【００５１】
また、本実施形態では、第１案内溝部３ｉを光軸方向に沿って形成したが、内径切欠部３ｌと第２案内溝部３ｈとの接続が可能あればどのような方向に形成してもよい。
【００５２】
更に、第１案内溝部３ｉ及び第２案内溝部３ｈを１つの溝部で構成し、この溝部により内径切欠部３ｌと１群用直進溝部３ｇとをつなぐようにしてもよい。
【００５３】
このように、本実施形態では内径切欠部３ｌと１群用直進溝部３ｇとが案内溝部（３ｉ、３ｈ）によりつながっている。したがって、案内溝部を様々な形状に構成することより、内径切欠部３ｌと１群用直進溝部３ｇとの相対位置（直進筒３の周方向における相対位置）を変化させることができるため、設計の自由度を高めることができる。
【００５４】
なお、フランジ部３ｅのＢの長さが従来例と同様に短い場合（この場合外径切欠部３ｊ、３ｋを設ける必要がない）、レンズ鏡筒６１の強度を確保しなければならないため、凸部３ａ及び内径切欠部３ｌを同位相の位置に配置する必要がある。
【００５５】
しかし、この場合であっても、案内溝部（３ｉ、３ｈ）を様々な形状に構成することより、内径切欠部３ｌ（凸部３ａ）と１群用直進溝部３ｇとの相対位置（直進筒３の周方向における相対位置）を変化させることができるため、従来例と比較して、設計の自由度を高めることができる。
【００５６】
以上説明した実施形態は、以下に示す各発明を実施した場合の一例でもあり、下記の各発明は上記実施形態に様々な変更や改良が加えられて実施されるものである。
【００５７】
〔発明１〕  光軸方向にガイドされる被ガイド部と、この被ガイド部上に形成されたカムピン部とを有する第１の鏡筒構成部材と、
前記被ガイド部を光軸方向にガイドする直進溝部が周壁部上に形成されるとともに、フランジ部が前記周壁部の光軸方向端部に形成された第２の鏡筒構成部材と、
前記カムピン部に係合して前記第１の鏡筒構成部材を光軸方向に駆動するためのカム部を有する第３の鏡筒構成部材と、
前記第２の鏡筒構成部材の外側に配置され、前記第３の鏡筒構成部材を回転駆動する駆動機構とを有し、
前記フランジ部の外周側に、前記駆動機構の配置スペースを形成するための外径切欠部が形成されるとともに、前記フランジ部の内周側に、前記ガイド部を前記直進溝部に組み込む際に前記カムピン部を通す内径切欠部が形成されており、
前記第２の鏡筒構成部材において、前記直進溝部と前記内径切欠部とが周方向にて異なる位置に形成され、前記周壁部に前記内径切欠部に前記カムピン部を通して前記被ガイド部を前記直進溝部に組み込むための組み込み溝部が形成されていることを特徴とするレンズ鏡筒。
【００５８】
〔発明２〕  発明１に記載のレンズ鏡筒を備えたことを特徴とするカメラ。
【００５９】
【発明の効果】
以上説明したように、本発明によれば、組み込み溝部が形成されているため、直進溝部、内径切欠部及び外径切欠部の形成位置（第２の鏡筒構成部材の周方向の位置）の自由度を高めることができる。
【図面の簡単な説明】
【図１】本実施形態のレンズ鏡筒を構成する直進筒の斜視図
【図２】本実施形態のレンズ鏡筒の分解斜視図
【図３】本実施形態の直進筒の斜視図
【図４】１群鏡筒が移動する様子を示した図
【図５】本実施形態のレンズ鏡筒が搭載されたカメラの外観図
【図６】従来例の直進筒の斜視図
【符号の説明】
１  固定筒
２  カム筒
３  直進筒
４  駆動ギア
５  モータ
６  ピニオンギア（ウォームギア）
７  第二ギア
８  第三ギア
９  第四ギア
１０  第五ギア
１１  １群鏡筒
１２  ２群鏡筒
【図１】
2004258302.tif 000003
【図２】
2004258302.tif 000004
【図３】
2004258302.tif 000005
【図４】
2004258302.tif 000006
【図５】
2004258302.tif 000007
【図６】
2004258302.tif 000008